Podtech/llm-jp-corpus-v4-ja_patent huggingface dataset:
【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
対象の血液試料、組織液試料または検査試料中のＰＤ−Ｌ１＋循環腫瘍細胞を検出することを含む、消化管がんまたは頭頸部扁平上皮細胞がんの対象において再発性または転移性がんを発症する危険性を有する対象であるかを判定するための、インビトロの方法であって、ここで、一以上のＰＤ−Ｌ１＋循環腫瘍細胞の存在は、該対象が再発性または転移性がんを発症する危険性を有することを示し、該血液試料、該組織液試料または該検査試料は、該消化管がんまたは頭頸部扁平上皮細胞がんの治療前、または治癒的切除手術中の該対象に由来する、方法。
【請求項２】
該がんが消化管がんである、請求項１に記載の方法。
【請求項３】
該消化管がんが大腸がんである、請求項２に記載の方法。
【請求項４】
該血液試料が腸間膜静脈血試料である、請求項１〜３のいずれかに記載の方法。
【請求項５】
対象の血液試料、組織液試料または検査試料中のＰＤ−Ｌ１＋循環腫瘍細胞を検出することを含む、消化管がんまたは頭頸部扁平上皮細胞がんを有する対象の予後を予測するための、インビトロの方法であって、ここで、一以上のＰＤ−Ｌ１＋循環腫瘍細胞の存在は、該対象の予後不良を示し、該血液試料、該組織液試料または該検査試料は、該消化管がんまたは頭頸部扁平上皮細胞がんの治療前、または治癒的切除手術中の該対象に由来する、方法。
【請求項６】
該対象が消化管がんを有する、請求項５に記載の方法。
【請求項７】
該消化管がんが大腸がんである、請求項６に記載の方法。
【請求項８】
該血液試料が腸間膜静脈血試料である、請求項５〜７のいずれかに記載の方法。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
ビークルの基礎構造（１０８）用の断熱システム（２００）であって、
前記ビークルの基礎構造（１０８）を保護するための外層（２１０）と、
前記ビークルの基礎構造（１０８）に順応するための内層（２２０）と、
前記外層（２１０）と前記内層（２２０）との間に挟まれた絶縁層（２３０）であって、接着性を高めるために、前記外層（２１０）の内面（２１２）を覆う高密度化部分（２３２）を有する多孔性低密度セラミック絶縁材料を含む、絶縁層（２３０）と
を含む断熱システム（２００）。
【請求項２】
前記多孔性低密度セラミック絶縁材料の前記高密度化部分（２３２）が、０．２５４センチメートルと０．５０８センチメートルとの間の厚さを有する、請求項１に記載の断熱システム（２００）。
【請求項３】
前記外層（２１０）は、例えば炭素−炭化ケイ素、炭化ケイ素−炭化ケイ素、炭素−炭化ハフニウム、炭素−ホウ化ハフニウム、炭素−窒化ケイ素等の、０．１０２センチメートルと０．２０３センチメートルとの間の厚さを有するセラミック繊維強化非酸化物セラミックマトリックス複合材料の薄層を含む、請求項１又は２に記載の断熱システム（２００）。
【請求項４】
前記外層（２１０）は、０．９２ｐｐｍ／℃の熱膨張係数を有する、請求項１から３のいずれか一項に記載の断熱システム（２００）。
【請求項５】
前記絶縁層（２３０）は、０．８８ｐｐｍ／℃の熱膨張係数を有する、請求項４に記載の断熱システム（２００）。
【請求項６】
（ｉ）前記内層（２２０）は、例えば前記絶縁層（２３０）の内面（２３４）を覆う、シリコン又は歪分離パッド等の順応材料の層（２２２）を含み、（ｉｉ）前記外層（２１０）、前記内層（２２０）、及び前記絶縁層（２３０）の組み合わせが協働することにより、前記ビークルの基礎構造をその最大温度性能以下に維持しながら、前記断熱システム（２００）を劣化させることなく前記断熱システム（２００）が１６４９℃以上の温度に耐えることが可能になる、請求項１から５のいずれか一項に記載の断熱システム（２００）。
【請求項７】
前記順応材料の層（２２２）は前記絶縁層（２３０）に接着接合されている、請求項６に記載の断熱システム（２００）。
【請求項８】
前記絶縁層（２３０）は、約１９２ｋｇ／ｍ３と４００ｋｇ／ｍ３との間の密度を有する多孔性低密度セラミック材料を含む、請求項１から７のいずれか一項に記載の断熱システム（２００）。
【請求項９】
前記順応材料の層（２２２）が、室温の加硫（ＲＴＶ）シリコン（２２４）で接合され、前記絶縁層（２３０）の内面を覆う、請求項６に記載の断熱システム（２００）。
【請求項１０】
ビークルの基礎構造（１０８）用の硬化ハイブリッド絶縁非酸化物断熱システム（２００）を製造するための非酸化物セラミック複合材料を生成する方法であって、
約１９２ｋｇ／ｍ３と４００ｋｇ／ｍ３との間の密度を有する多孔性低密度セラミック絶縁材料の層を所望のサイズと形状に形成することと、
約３８４ｋｇ／ｍ３と８０１ｋｇ／ｍ３との間の密度を有する多層高密度化層部分を形成するために、前記多孔性低密度セラミック絶縁材料の層の層部分を高密度化することと、
前記多層高密度化層部分を、非酸化物セラミック複合材料の薄層に混合抽出することと、
前記多孔性低密度セラミック絶縁材料の層の内面（２３４）を順応材料の層（２２２）で覆うことと
を含む方法。
【請求項１１】
前記多孔性低密度セラミック絶縁材料の層の層部分を高密度化することは、気孔を閉じるために、前記層部分のセラミックスラリーの湿潤処理及び後硬化を行った後に、セラミック樹脂の予備湿潤処理と熱分解を行い、これによって前記多層高密度化層部分を形成することを含む、請求項１０に記載の方法。
【請求項１２】
前記多孔性低密度セラミック絶縁材料の層の層部分を高密度化することは、約０．２５４センチメートルと約０．５０８センチメートルとの間の厚さを有する前記多層高密度化層部分を形成するために前記層部分を高密度化することを含む、請求項１０又は１１に記載の方法。
【請求項１３】
前記多孔性低密度セラミック絶縁材料の層の内面（２３４）を順応材料の層（２２２）で覆うことは、前記多孔性低密度セラミック絶縁材料の層を室温の加硫（ＲＴＶ）シリコン（２２４）で接合されたシリコンの順応層で覆うことを含む、請求項１０から１２のいずれか一項に記載の方法。
【誤訳訂正書】
【提出日】令和3年10月26日(2021.10.26)
【誤訳訂正１】
【訂正対象書類名】特許請求の範囲
【訂正対象項目名】全文
【訂正方法】変更
【訂正の内容】
【特許請求の範囲】
【請求項１】
流体軸受と、中実部分を有するシャフトと、前記中実部分の周りかつ前記流体軸受の１つまたは複数のパッドの径方向内側に配置されたブッシュと、を含み、
前記ブッシュは、中空部分と、前記ブッシュの前記中空部分を前記シャフトの前記中実部分に固定する、第１の組の支持要素と第２の組の支持要素を含む複数の支持要素と、を含み、
前記第１の組の支持要素が前記中空部分の第１の位置に配置され、前記第２の組の支持要素が前記中空部分の第２の位置に配置され、これによって、前記ブッシュの前記中空部分と前記シャフトの前記中実部分との間に、環状チャンバが画定され、
前記第１の組および／または前記第２の組の前記支持要素は、ベーンであり、それによって、潤滑流体または熱交換流体が前記環状チャンバに流入または前記環状チャンバから流出する、軸受システム。
【請求項２】
前記第１の組の支持要素が前記中空部分の第１の端部に配置され、前記第２の組の支持要素が前記中空部分の第２の端部に配置される、請求項１に記載の軸受システム。
【請求項３】
前記ベーンは、前記シャフトの回転中に前記流体軸受の第１の側面から前記流体軸受の第２の側面への熱交換流体の流れを確立するように成形されて配置される、請求項１又は２に記載の軸受システム。
【請求項４】
前記ベーンは、前記シャフトの回転中に前記環状チャンバから前記流体軸受の第１の側面および前記流体軸受の第２の側面への潤滑流体または熱交換流体の流れを確立するように成形されて配置される、請求項１又は２に記載の軸受システム。
【請求項５】
前記環状チャンバは、前記シャフトの回転中に潤滑流体が空である、請求項４に記載の軸受システム。
【請求項６】
前記潤滑流体は、前記ブッシュと前記１つまたは複数のパッドとの間の隙間から前記中空部分を通って前記環状チャンバに入る、請求項４に記載の軸受システム。
【請求項７】
前記ベーンは、前記シャフトの回転中に前記流体軸受の第１の側面から、および／または前記流体軸受の第２の側面から前記環状チャンバへの潤滑流体または熱交換流体の流れを確立するように成形されて配置される、請求項１又は２に記載の軸受システム。
【請求項８】
前記環状チャンバは、前記シャフトの回転中に潤滑流体で満たされている、請求項７に記載の軸受システム。
【請求項９】
前記潤滑流体は、前記環状チャンバから前記中空部分を通って前記ブッシュと前記１つまたは複数のパッドとの間の隙間に流出する、請求項７に記載の軸受システム。
【請求項１０】
流体軸受と、中実部分を有するシャフトと、前記中実部分の周りかつ前記流体軸受の１つまたは複数のパッドの径方向内側に配置されたブッシュと、を含み、
前記ブッシュは、中空部分と、前記ブッシュの前記中空部分を前記シャフトの前記中実部分に固定する複数の支持要素と、を含み、
前記支持要素は、少なくとも前記流体軸受の第１の側面と前記流体軸受の第２の側面との間に延在する複数の螺旋状流路を画定する１組の螺旋状壁であり、前記螺旋状流路は、前記シャフトの回転中に前記流体軸受の前記第１の側面から前記流体軸受の前記第２の側面への熱交換流体の流れのために配置される、軸受システム。
【請求項１１】
前記螺旋状流路は、前記シャフトの回転中に空であるか、または潤滑流体で満たされている、請求項１０に記載の軸受システム。
【請求項１２】
流体軸受と、中実部分を有するシャフトと、前記中実部分の周りかつ前記流体軸受の１つまたは複数のパッドの径方向内側に配置されたブッシュと、を含み、
前記ブッシュは、中空部分と、前記ブッシュの前記中空部分を前記シャフトの前記中実部分に固定する複数の支持要素と、を含み、
前記支持要素は、少なくとも前記流体軸受の中央ゾーンと前記流体軸受の第１の側面との間に延在する第１の複数の螺旋状流路を画定する第１の組の螺旋状壁と、少なくとも前記流体軸受の前記中央ゾーンと前記流体軸受の第２の側面との間に延在する第２の複数の螺旋状流路を画定する第２の組の螺旋状壁と、であり、
前記螺旋状流路は、前記シャフトの回転中に、前記流体軸受の前記中央ゾーンから前記流体軸受の前記第１の側面への、および前記流体軸受の前記第２の側面への潤滑流体または熱交換流体の流れのために、あるいは、前記流体軸受の前記第１の側面から、および前記流体軸受の前記第２の側面から前記流体軸受の前記中央ゾーンへの潤滑流体または熱交換流体の流れのために配置される、軸受システム。
【請求項１３】
前記シャフトの回転中に、前記第１および第２の組の前記螺旋状流路は空であるか、潤滑流体で満たされている、請求項１２に記載の軸受システム。
【請求項１４】
環状チャンバが、前記ブッシュの前記中空部分と前記シャフトの前記中実部分との間に画定され、第１の側面部分、第２の側面部分および中央部分を含む、請求項１２に記載の軸受システム。
【請求項１５】
各前記螺旋状流路の巻数は０．１〜１０．０の範囲である、請求項１０乃至１４のいずれか１項に記載の軸受システム。
【請求項１６】
各前記螺旋状流路のピッチは、前記流体軸受の軸方向長さの倍数に等しく、前記倍数は１０．０〜０．１の範囲にある、請求項１０乃至１５のいずれか１項に記載の軸受システム。
【請求項１７】
前記ブッシュは、断熱材料の層によって外部から覆われている、請求項１乃至１６のいずれか１項に記載の軸受システム。
【請求項１８】
前記ブッシュは、突起および／または凹部のある外面を有する層によって外部から覆われている、請求項１乃至１７のいずれか１項に記載の軸受システム。
【請求項１９】
請求項１乃至１８のいずれか一項に記載の少なくとも１つの軸受システムを含むターボ機械。
【誤訳訂正２】
【訂正対象書類名】明細書
【訂正対象項目名】００６４
【訂正方法】変更
【訂正の内容】
【００６４】
上述の流路の各々は、シャフト６２０の軸線６２２の周りの巻数を含むことができ、巻数は０．１〜１０．０、好ましくは０．２５〜４．０、より好ましくは０．５〜２．０の範囲であってもよい。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
第１面、および前記第１面と反対側の第２面、を含む第１基板と、
第３面、および前記第３面と反対側の第４面、を含み、前記第３面が前記第２面に接合されることにより前記第１基板との間に収納空間を形成する第２基板と、
前記収納空間に収納されている振動素子と、
前記第２基板の前記第４面に配置され、ワイヤが接続される外部接続端子と、
を有し、
前記ワイヤが接続される位置は、平面視で、前記第１基板と前記第２基板との接合領域と重なる領域内に配置されていることを特徴とする振動デバイス。
【請求項２】
前記第１基板と前記第２基板とは直接接合されている請求項１に記載の振動デバイス。
【請求項３】
前記第２基板は、半導体基板であり、前記振動素子と電気的に接続されている発振回路を有する請求項１または２に記載の振動デバイス。
【請求項４】
前記第４面が能動面である請求項３に記載の振動デバイス。
【請求項５】
第１基板と、
第２基板と、
前記第１基板と前記第２基板との間に配置され、振動素子および前記振動素子を囲む枠部を含む中間基板と、
前記第２基板の前記中間基板側の面とは反対の面に配置され、ワイヤが接続される外部接続端子と、
を有し、
前記枠部は、一方の面が前記第１基板に接合され、他方の面が前記第２基板に接合され、
前記ワイヤが接続される位置は、平面視で、前記第１基板と前記枠部との接合領域、および前記第２基板と前記枠部との接合領域、と重なる領域内に配置されていることを特徴とする振動デバイス。
【請求項６】
前記枠部と前記第１基板との間に位置し、前記枠部と前記第１基板とを接合する第１接合部材と、
前記枠部と前記第２基板との間に位置し、前記枠部と前記第２基板とを接合する第２接合部材と、
を有する請求項５に記載の振動デバイス。
【請求項７】
前記接合領域は、平面視で、前記振動素子を囲む矩形の枠状をなし、
前記接合領域の各辺に沿う４つの延在部のうちの１つと重なる複数のワイヤ接続領域が配置されている請求項１ないし６のいずれか１項に記載の振動デバイス。
【請求項８】
前記複数のワイヤ接続領域が配置されている前記延在部の幅は、当該延在部以外の３つの前記延在部の幅よりも大きい請求項７に記載の振動デバイス。
【請求項９】
請求項１ないし８のいずれか１項に記載の振動デバイスと、
前記振動デバイスが取り付けられているモジュール部品と、
を有することを特徴とする振動モジュール。
【請求項１０】
前記モジュール部品と前記外部接続端子とを電気的に接続しているワイヤを有する請求項９に記載の振動モジュール。
【手続補正２】
【補正対象書類名】明細書
【補正対象項目名】発明の名称
【補正方法】変更
【補正の内容】
【発明の名称】振動デバイスおよび振動モジュール
【手続補正３】
【補正対象書類名】明細書
【補正対象項目名】０００１
【補正方法】変更
【補正の内容】
【０００１】
本発明は、振動デバイスおよび振動モジュールに関するものである。
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
所定の演出において所定の態様で発光可能な第１の発光手段と、
前記第１の発光手段により発光される発光態様に対応する駆動データを所定の領域に記憶可能なデータ記憶手段と、
前記データ記憶手段に記憶される前記駆動データに基づく制御信号を、前記第１の発光手段に出力する発光駆動手段と、
前記駆動データを前記データ記憶手段の所定の領域に設定するデータ設定手段と、
遊技者により操作されたことに応じて前記第１の発光手段の輝度を変更可能な操作手段と、
前記操作手段が操作されたことに応じて、前記第１の発光手段の輝度を変更可能な第１発光制御手段と、
前記第１の発光手段とは別に設けられる第２の発光手段と、
前記第２の発光手段の輝度を変更可能な第２発光制御手段と、
を備えた遊技機であって、
前記データ設定手段は、
前記操作手段が操作されたときには、新たな駆動データとして、輝度が変更されたのちの駆動データを設定可能に構成されており、
前記第２発光制御手段は、
前記操作手段が操作されたことに応じて前記第１の発光手段の輝度が変更されたとき、前記第１の発光手段の輝度が変更されるタイミングとは異なるタイミングで、前記第２の発光手段の輝度を変更可能に構成されており、
前記所定の領域に、同一の駆動データを複数記憶することが可能であり、
遊技にかかわる遊技データが記憶された読込専用記憶領域と、
遊技にかかわる遊技データを読み書き可能な揮発性記憶領域と、
前記読込専用記憶領域に記憶された前記遊技データを読み込んで前記揮発性記憶領域に書き込むロード処理を実行する転送実行手段と、
ウォッチドッグタイマと、
を更に備え、
前記転送実行手段は、
前記ロード処理に要する時間の上限値をセットする上限値セット手段と、
前記ロード処理の実行時間が前記上限値セット手段によりセットされた上限値を超えていない場合、前記ウォッチドッグタイマの計時をクリアするクリア手段と、を有する、
ことを特徴とする遊技機。
【手続補正２】
【補正対象書類名】明細書
【補正対象項目名】０００６
【補正方法】変更
【補正の内容】
【０００６】
本発明者は、上述したような遊技機について、鋭意検討を重ねる過程において、発光による演出に関して工夫を凝らすことにより、遊技者の遊技に対する興趣を向上させ、遊技者の遊技に対する意欲を向上させることができるのではないかという考えに至った。
【手続補正３】
【補正対象書類名】明細書
【補正対象項目名】０００８
【補正方法】変更
【補正の内容】
【０００８】
上記目的を達成するため、本発明は、以下の遊技機を提供する。
所定の演出において所定の態様で発光可能な第１の発光手段と、
前記第１の発光手段により発光される発光態様に対応する駆動データを所定の領域に記憶可能なデータ記憶手段と、
前記データ記憶手段に記憶される前記駆動データに基づく制御信号を、前記第１の発光手段に出力する発光駆動手段と、
前記駆動データを前記データ記憶手段の所定の領域に設定するデータ設定手段と、
遊技者により操作されたことに応じて前記第１の発光手段の輝度を変更可能な操作手段と、
前記操作手段が操作されたことに応じて、前記第１の発光手段の輝度を変更可能な第１発光制御手段と、
前記第１の発光手段とは別に設けられる第２の発光手段と、
前記第２の発光手段の輝度を変更可能な第２発光制御手段と、
を備えた遊技機であって、
前記データ設定手段は、
前記操作手段が操作されたときには、新たな駆動データとして、輝度が変更されたのちの駆動データを設定可能に構成されており、
前記第２発光制御手段は、
前記操作手段が操作されたことに応じて前記第１の発光手段の輝度が変更されたとき、前記第１の発光手段の輝度が変更されるタイミングとは異なるタイミングで、前記第２の発光手段の輝度を変更可能に構成されており、
前記所定の領域に、同一の駆動データを複数記憶することが可能である、
前記読込専用記憶領域に記憶された前記遊技データを読み込んで前記揮発性記憶領域に書き込むロード処理を実行する転送実行手段と、
ウォッチドッグタイマと、
を更に備え、
前記転送実行手段は、
前記ロード処理に要する時間の上限値をセットする上限値セット手段と、
前記ロード処理の実行時間が前記上限値セット手段によりセットされた上限値を超えていない場合、前記ウォッチドッグタイマの計時をクリアするクリア手段と、を有する、
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
所定の演出において所定の態様で発光可能な第１の発光手段と、
前記第１の発光手段により発光される発光態様に対応する駆動データを所定の領域に記憶可能なデータ記憶手段と、
前記データ記憶手段に記憶される前記駆動データに基づく制御信号を、前記第１の発光手段に出力する発光駆動手段と、
前記駆動データを前記データ記憶手段の所定の領域に設定するデータ設定手段と、
遊技者により操作されたことに応じて前記第１の発光手段の輝度を変更可能な操作手段と、
前記操作手段が操作されたことに応じて、前記第１の発光手段の輝度を変更可能な第１発光制御手段と、
前記第１の発光手段とは別に設けられる第２の発光手段と、
前記第２の発光手段の輝度を変更可能な第２発光制御手段と、
を備えた遊技機であって、
前記データ設定手段は、
前記操作手段が操作されたときには、新たな駆動データとして、輝度が変更されたのちの駆動データを設定可能に構成されており、
前記第２発光制御手段は、
前記操作手段が操作されたことに応じて前記第１の発光手段の輝度が変更されたとき、前記第１の発光手段の輝度が変更されるタイミングとは異なるタイミングで、前記第２の発光手段の輝度を変更可能に構成されており、
識別情報の変動表示及び停止表示を行うことが可能な識別情報表示手段と、
遊技に関する所定の抽選を行うことが可能な抽選手段と、
前記抽選手段により行われる前記所定の抽選の結果に基づいて、前記識別情報表示手段において識別情報を変動表示させた後停止表示させることが可能な表示制御手段と、
前記所定の抽選の結果が所定の結果となり、前記表示制御手段により識別情報が特定の表示態様で停止表示された場合に、遊技者にとって有利な特定遊技状態に移行させることが可能な特定遊技状態制御手段と、
前記所定の抽選の結果が前記所定の結果となった場合、前記表示制御手段により識別情報が前記特定の表示態様で停止表示される前に、前記所定の抽選の結果が前記所定の結果となったことを示唆することが可能な示唆手段と、を更に備え、
前記所定の結果として、特定の結果を含む複数種類の結果が設けられており、
前記示唆手段は、前記特定遊技状態へ移行した後に所定の遊技が行われて遊技者にとって非有利な遊技状態に移行した場合であって、当該非有利な遊技状態において識別情報が前記特定の表示態様で停止表示され、且つ、該停止表示の契機となった前記所定の抽選よりも後に行われた一の前記所定の抽選の結果が前記特定の結果であるとき、
識別情報が前記特定の表示態様で停止表示されてから前記特定遊技状態における遊技者にとって有利な特定の遊技に関する表示が開始されるまでの間に、特定の演出として遊技者に対して遊技者が行うべき遊技を示唆する第１の表示を行い、前記特定の遊技において前記第１の表示とは異なる当該遊技者が行うべき遊技を示唆する第２の表示を行うことが可能である、
ことを特徴とする遊技機。
【手続補正２】
【補正対象書類名】明細書
【補正対象項目名】０００６
【補正方法】変更
【補正の内容】
【０００６】
本発明者は、上述したような遊技機について、鋭意検討を重ねる過程において、遊技者が行うべき遊技を示唆する演出に関して工夫を凝らすことにより、遊技者の遊技に対する興趣を向上させ、遊技者の遊技に対する意欲を向上させることができるのではないかという考えに至った。
【手続補正３】
【補正対象書類名】明細書
【補正対象項目名】０００８
【補正方法】変更
【補正の内容】
【０００８】
上記目的を達成するため、本発明は、以下の遊技機を提供する。
所定の演出において所定の態様で発光可能な第１の発光手段と、
前記第１の発光手段により発光される発光態様に対応する駆動データを所定の領域に記憶可能なデータ記憶手段と、
前記データ記憶手段に記憶される前記駆動データに基づく制御信号を、前記第１の発光手段に出力する発光駆動手段と、
前記駆動データを前記データ記憶手段の所定の領域に設定するデータ設定手段と、
遊技者により操作されたことに応じて前記第１の発光手段の輝度を変更可能な操作手段と、
前記操作手段が操作されたことに応じて、前記第１の発光手段の輝度を変更可能な第１発光制御手段と、
前記第１の発光手段とは別に設けられる第２の発光手段と、
前記第２の発光手段の輝度を変更可能な第２発光制御手段と、
を備えた遊技機であって、
前記データ設定手段は、
前記操作手段が操作されたときには、新たな駆動データとして、輝度が変更されたのちの駆動データを設定可能に構成されており、
前記第２発光制御手段は、
前記操作手段が操作されたことに応じて前記第１の発光手段の輝度が変更されたとき、前記第１の発光手段の輝度が変更されるタイミングとは異なるタイミングで、前記第２の発光手段の輝度を変更可能に構成されており、
識別情報の変動表示及び停止表示を行うことが可能な識別情報表示手段と、
遊技に関する所定の抽選を行うことが可能な抽選手段と、
前記抽選手段により行われる前記所定の抽選の結果に基づいて、前記識別情報表示手段において識別情報を変動表示させた後停止表示させることが可能な表示制御手段と、
前記所定の抽選の結果が所定の結果となり、前記表示制御手段により識別情報が特定の表示態様で停止表示された場合に、遊技者にとって有利な特定遊技状態に移行させることが可能な特定遊技状態制御手段と、
前記所定の抽選の結果が前記所定の結果となった場合、前記表示制御手段により識別情報が前記特定の表示態様で停止表示される前に、前記所定の抽選の結果が前記所定の結果となったことを示唆することが可能な示唆手段と、を更に備え、
前記所定の結果として、特定の結果を含む複数種類の結果が設けられており、
前記示唆手段は、前記特定遊技状態へ移行した後に所定の遊技が行われて遊技者にとって非有利な遊技状態に移行した場合であって、当該非有利な遊技状態において識別情報が前記特定の表示態様で停止表示され、且つ、該停止表示の契機となった前記所定の抽選よりも後に行われた一の前記所定の抽選の結果が前記特定の結果であるとき、
識別情報が前記特定の表示態様で停止表示されてから前記特定遊技状態における遊技者にとって有利な特定の遊技に関する表示が開始されるまでの間に、特定の演出として遊技者に対して遊技者が行うべき遊技を示唆する第１の表示を行い、前記特定の遊技において前記第１の表示とは異なる当該遊技者が行うべき遊技を示唆する第２の表示を行うことが可能である、
ことを特徴とする遊技機。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
本体内に設けられ洗濯水が溜められる水槽と、
給水源からの水を給水経路を通して前記水槽に供給するための給水弁と、
洗剤を貯留する洗剤タンクを有し前記給水経路の途中の洗剤供給部に対し前記洗剤タンクから所定量の洗剤を供給する洗剤自動投入装置と、
前記給水経路の途中に設けられ１回分の洗濯に用いられる洗剤を収容可能な手動用洗剤収容部と、を備え、
前記手動用洗剤収容部は、前記洗剤供給部の下流側に設けられている洗濯機。
【請求項２】
本体内に設けられ洗濯水が溜められる水槽と、
給水源からの水を給水経路を通して前記水槽に供給するための給水弁と、
洗剤を貯留する洗剤タンクを有し前記給水経路の途中の洗剤供給部に対し前記洗剤タンクから所定量の洗剤を供給する洗剤自動投入装置と、
前記給水経路の途中に設けられ１回分の洗濯に用いられる洗剤を収容可能な手動用洗剤収容部と、を備え、
前記本体の上部の後部に前記給水弁が設けられ、前記本体の上部の前部に前記洗剤自動投入装置が設けられ、前記給水弁と前記洗剤自動投入装置との間に前記手動用洗剤収容部が設けられている洗濯機。
【請求項３】
前記洗剤供給部は、前記給水弁の高さよりも低い位置にあり、前記給水経路は、前記洗剤供給部の下流で上昇して前記手動用洗剤収容部の上方から注水するように構成されている請求項１又は２に記載の洗濯機。
【請求項４】
前記給水経路のうち最低部分には、前記給水弁の停止時に水を抜くための水抜き経路が設けられている請求項１から３のいずれか一項に記載の洗濯機。
【請求項５】
複数回分の洗濯に使用可能な柔軟仕上剤が収容可能な柔軟剤タンクと、
１回分の洗濯に用いられ前記水槽に供給される柔軟仕上剤が収容可能な手動用柔軟剤収容部と、を更に備え、
前記給水経路として、途中部分に前記洗剤供給部が設けられているメイン給水経路と、前記給水源からの水を前記手動用柔軟剤収容部に供給する柔軟剤用給水経路と、を有し、
前記給水弁として、前記メイン給水経路を開閉するメイン給水弁と、前記柔軟剤用給水経路を開閉する柔軟剤用給水弁と、を有し、
前記洗剤自動投入装置は、前記柔軟剤タンクから所要量の柔軟剤を前記洗剤供給部に供給することができ、
前記洗剤自動投入装置によって前記水槽に柔軟剤が供給される場合には前記メイン給水弁が開放され、前記手動用柔軟剤収容部から前記水槽に柔軟剤が供給される場合には前記柔軟剤用給水弁が開放される請求項１から４のいずれか一項に記載の洗濯機。
【請求項６】
前記給水弁として自動用給水弁と手動用給水弁とを有し、前記自動用給水弁を通った水は第１給水経路を通って前記洗剤供給部に至り、前記手動用給水弁を通った水は第２給水経路を通って前記手動用洗剤収容部の後部上方から注水される、
請求項１から４のいずれか一項に記載の洗濯機。
【手続補正２】
【補正対象書類名】明細書
【補正対象項目名】０００５
【補正方法】変更
【補正の内容】
【０００５】
実施形態の洗濯機は、本体内に設けられ洗濯水が溜められる水槽と、給水源からの水を給水経路を通して前記水槽に供給するための給水弁と、洗剤を貯留する洗剤タンクを有し前記給水経路の途中の洗剤供給部に対し前記洗剤タンクから所定量の洗剤を供給する洗剤自動投入装置と、前記給水経路の途中に設けられ１回分の洗濯に用いられる洗剤を収容可能な手動用洗剤収容部と、を備え、前記手動用洗剤収容部は、前記洗剤供給部の下流側に設けられている。
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
大当りか否かの当否判定に伴う演出図柄の変動遊技を表示する表示装置を備え、予め定められた大当りとなる結果が前記表示装置に表示された場合に大当り遊技を行う遊技機であって、
遊技者が操作可能な操作部と、
前記表示装置に操作部図柄を表示することで前記操作部の操作を促す操作部図柄表示手段と、
前記表示装置に前記操作部図柄が表示されると、所定期間の後に前記操作部の操作を有効にする操作部有効手段と、
前記所定期間を設定する所定期間設定手段と、
前記所定期間の後に前記操作部が操作されることにより前記当否判定の結果を示唆する操作演出を実施する操作演出制御手段と、を備え、
前記操作部図柄表示手段は、前記操作部図柄の表示開始時の表示態様と、表示開始から前記所定期間の経過後の表示態様とを変化させず、
前記所定期間設定手段は、実施中の前記変動遊技の大当り期待度に応じて前記所定期間を変化させ、
前記操作部図柄の表示開始に応じて前記操作部図柄とは異なる特定図柄の表示演出を行う特定図柄演出表示手段を備え、
前記特定図柄演出表示手段は、複数種類の前記特定図柄を有し、前記所定期間に応じて表示する前記特定図柄の表示態様を選択することを特徴とする遊技機。
【手続補正２】
【補正対象書類名】明細書
【補正対象項目名】０００６
【補正方法】変更
【補正の内容】
【０００６】
請求項１に記載の本発明は、大当りか否かの当否判定に伴う演出図柄の変動遊技を表示する表示装置を備え、予め定められた大当りとなる結果が前記表示装置に表示された場合に大当り遊技を行う遊技機であって、
遊技者が操作可能な操作部と、
前記表示装置に操作部図柄を表示することで前記操作部の操作を促す操作部図柄表示手段と、
前記表示装置に前記操作部図柄が表示されると、所定期間の後に前記操作部の操作を有効にする操作部有効手段と、
前記所定期間を設定する所定期間設定手段と、
前記所定期間の後に前記操作部が操作されることにより前記当否判定の結果を示唆する操作演出を実施する操作演出制御手段と、を備え、
前記操作部図柄表示手段は、前記操作部図柄の表示開始時の表示態様と、表示開始から前記所定期間の経過後の表示態様とを変化させず、
前記所定期間設定手段は、実施中の前記変動遊技の大当り期待度に応じて前記所定期間を変化させ、
前記操作部図柄の表示開始に応じて前記操作部図柄とは異なる特定図柄の表示演出を行う特定図柄演出表示手段を備え、
前記特定図柄演出表示手段は、複数種類の前記特定図柄を有し、前記所定期間に応じて表示する前記特定図柄の表示態様を選択することを特徴とする。
【手続補正３】
【補正対象書類名】明細書
【補正対象項目名】０００９
【補正方法】変更
【補正の内容】
【０００９】
また、前記操作部有効手段は、実施中の前記変動遊技の大当り期待度が高いほど前記所定期間を長くしてもよい。
【手続補正４】
【補正対象書類名】明細書
【補正対象項目名】００１０
【補正方法】変更
【補正の内容】
【００１０】
これによれば、操作無効の継続期間が長いほど遊技者の期待感が高まり、その分、緊張感のある遊技を行うことができる。
【手続補正５】
【補正対象書類名】明細書
【補正対象項目名】００１１
【補正方法】変更
【補正の内容】
【００１１】
また、前記操作部図柄の表示開始に応じて前記操作部図柄とは異なる特定図柄の表示演出を行う特定図柄演出表示手段を備え、
前記特定図柄演出表示手段は、複数種類の前記特定図柄を有し、前記所定期間に応じて表示する前記特定図柄の表示態様を選択することを特徴とする。
【手続補正６】
【補正対象書類名】明細書
【補正対象項目名】００１２
【補正方法】変更
【補正の内容】
【００１２】
これによれば、特定図柄として、例えば、キャラクタのアクションやセリフなどの表示内容で楽しませるのと共に、この表示内容によって操作部の操作が有効になるまでの所定期間を推測させることができる。
【手続補正７】
【補正対象書類名】明細書
【補正対象項目名】００１３
【補正方法】変更
【補正の内容】
【００１３】
また、前記操作部図柄の表示開始から前記所定期間が経過するまでに前記操作部が操作されると、操作が無効であることを報知する操作無効報知手段を備えてもよい。
【手続補正８】
【補正対象書類名】明細書
【補正対象項目名】００１４
【補正方法】変更
【補正の内容】
【００１４】
これによれば、遊技者にまだ操作が無効であることを効果的に認識させることができる。
尚、操作無効報知手段は、単に、操作が無効であることを報知するだけでなく、例えば、操作無効期間が長いほど大当りが期待できることを示唆する報知を行うようにしてもよい。
【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
所定の態様で発光可能な第１の発光手段と、
前記第１の発光手段により発光される発光態様に対応する駆動データを所定の領域に記憶可能なデータ記憶手段と、
前記データ記憶手段に記憶される前記駆動データに基づく制御信号を、前記第１の発光手段に出力する発光駆動手段と、
前記駆動データを前記データ記憶手段の所定の領域に設定するデータ設定手段と、
ユーザが操作可能な操作手段と、
ユーザによる操作に応じて、前記第１の発光手段の輝度を変更可能な第１発光制御手段と、
前記第１の発光手段とは別に設けられる第２の発光手段と、
前記第２の発光手段の輝度を変更可能な第２発光制御手段と、
遊技にかかわる遊技データが記憶された読込専用記憶領域と、
遊技にかかわる遊技データを読み書き可能な揮発性記憶領域と、
前記読込専用記憶領域に記憶された前記遊技データを読み込んで前記揮発性記憶領域に書き込むロード処理を実行する転送実行手段と、
ウォッチドッグタイマと、
特定音を出力可能な第１出力手段と、
特定音以外の音を出力可能な第２出力手段と、を備えた遊技機であって、
前記データ設定手段は、
前記操作手段が操作されたときには、新たな駆動データとして、輝度が変更されたのちの駆動データを設定可能に構成されており、
前記第２発光制御手段は、
前記操作手段が操作されたことに応じて前記第１の発光手段の輝度が変更されるとき、前記第１の発光手段の輝度が変更されるタイミングとは異なるタイミングで、前記第２の発光手段の輝度を変更可能に構成されており、
前記転送実行手段は、
前記ロード処理に要する時間の上限値をセットする上限値セット手段と、
前記ロード処理の実行時間が前記上限値セット手段によりセットされた上限値を超えていない場合、前記ウォッチドッグタイマの計時をクリアするクリア手段と、を有し、
ユーザによる操作に応じて音量が変更されるよう制御されたときに、前記第１出力手段について、該操作によって音量変更処理が実行されたにもかかわらず特定音の出力としては該音量変更処理の結果にもとづく音量を出力せずに、該操作が行われる前後において一定音量が出力されるよう出力制御を実行可能であり、
前記第１の発光手段及び前記第２の発光手段のうちの少なくとも何れかにおいて複数色のそれぞれを出力するにあたり、ユーザによる操作前および操作後のいずれにおいても、青色の輝度減衰値が最も大きく且つ赤色の輝度減衰値が最も小さくなるように出力可能である、
ことを特徴とする遊技機。
【手続補正２】
【補正対象書類名】明細書
【補正対象項目名】０００２
【補正方法】変更
【補正の内容】
【０００２】
従来、パチンコ機等の遊技機において、始動口に遊技球が入賞すると抽選が行われ、この抽選の結果にもとづいて、液晶表示器などに演出画像が表示される。
【手続補正３】
【補正対象書類名】明細書
【補正対象項目名】０００３
【補正方法】変更
【補正の内容】
【０００３】
このような従来の遊技機として、前面側に設けられた複数のＬＥＤ等の発光体からなる発光装置を所定の態様で発光させることで、演出や装飾の用に供される遊技機が知られている。また、これらの発光装置の輝度を、予め設定されている範囲内で遊技者等が調整することが可能な遊技機が開示されている（例えば、特許文献１参照）。
【手続補正４】
【補正対象書類名】明細書
【補正対象項目名】０００４
【補正方法】変更
【補正の内容】
【０００４】
【特許文献１】特開２００８−２９５５５１号公報
【手続補正５】
【補正対象書類名】明細書
【補正対象項目名】０００５
【補正方法】変更
【補正の内容】
【０００５】
ところで、近年、前面側に設けられた複数のＬＥＤ等の発光体からなる発光装置も含めて、演出が派手なものとなってきている。そのため、発光装置の輝度が高いと、遊技者によってはそれがストレスに感じることもある。発光装置の輝度を遊技者等が操作できれば、遊技者が所望の輝度に調整することはできるが、それだけでは不十分な場合もある。
【手続補正６】
【補正対象書類名】明細書
【補正対象項目名】０００６
【補正方法】変更
【補正の内容】
【０００６】
本発明は、上記のような点に鑑みてなされたものであり、発光手段の輝度をより好適に遊技者等が調整することが可能な遊技機を提供することを目的とする。
【手続補正７】
【補正対象書類名】明細書
【補正対象項目名】０００７
【補正方法】変更
【補正の内容】
【０００７】
上記目的を達成するため、本発明は、以下の遊技機を提供する。
所定の態様で発光可能な第１の発光手段と、
前記第１の発光手段により発光される発光態様に対応する駆動データを所定の領域に記憶可能なデータ記憶手段と、
前記データ記憶手段に記憶される前記駆動データに基づく制御信号を、前記第１の発光手段に出力する発光駆動手段と、
前記駆動データを前記データ記憶手段の所定の領域に設定するデータ設定手段と、
ユーザが操作可能な操作手段と、
ユーザによる操作に応じて、前記第１の発光手段の輝度を変更可能な第１発光制御手段と、
前記第１の発光手段とは別に設けられる第２の発光手段と、
前記第２の発光手段の輝度を変更可能な第２発光制御手段と、
遊技にかかわる遊技データが記憶された読込専用記憶領域と、
遊技にかかわる遊技データを読み書き可能な揮発性記憶領域と、
前記読込専用記憶領域に記憶された前記遊技データを読み込んで前記揮発性記憶領域に 書き込むロード処理を実行する転送実行手段と、
ウォッチドッグタイマと、
特定音を出力可能な第１出力手段と、
特定音以外の音を出力可能な第２出力手段と、を備えた遊技機であって、
前記データ設定手段は、
前記操作手段が操作されたときには、新たな駆動データとして、輝度が変更されたのちの駆動データを設定可能に構成されており、
前記第２発光制御手段は、
前記操作手段が操作されたことに応じて前記第１の発光手段の輝度が変更されるとき、前記第１の発光手段の輝度が変更されるタイミングとは異なるタイミングで、前記第２の発光手段の輝度を変更可能に構成されており、
前記転送実行手段は、
前記ロード処理に要する時間の上限値をセットする上限値セット手段と、
前記ロード処理の実行時間が前記上限値セット手段によりセットされた上限値を超えて いない場合、前記ウォッチドッグタイマの計時をクリアするクリア手段と、を有し、
ユーザによる操作に応じて音量が変更されるよう制御されたときに、前記第１出力手段について、該操作によって音量変更処理が実行されたにもかかわらず特定音の出力としては該音量変更処理の結果にもとづく音量を出力せずに、該操作が行われる前後において一定音量が出力されるよう出力制御を実行可能であり、
前記第１の発光手段及び前記第２の発光手段のうちの少なくとも何れかにおいて複数色のそれぞれを出力するにあたり、ユーザによる操作前および操作後のいずれにおいても、青色の輝度減衰値が最も大きく且つ赤色の輝度減衰値が最も小さくなるように出力可能である、
ことを特徴とする遊技機。
【手続補正８】
【補正対象書類名】明細書
【補正対象項目名】００１２
【補正方法】変更
【補正の内容】
【００１２】
本発明によれば、発光手段の輝度をより好適に遊技者等が調整することができる。
【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
端末と通信接続されるサーバシステムであって、
仮想空間に配置されたキャラクタを含む当該仮想空間の時系列変化である時空世界を再現するための時空世界データを記憶する動画基礎データ記憶手段と、
前記時空世界データに基づく前記時空世界と同じ時間軸に沿って前記時空世界を撮影する仮想カメラの撮影位置および撮影姿勢を編集者が設定した仮想カメラ設定データを当該編集者に対応づけて記憶する仮想カメラ設定データ記憶手段と、
前記時空世界データに基づく前記時空世界を互いに異なる複数の前記仮想カメラ設定データに基づく前記仮想カメラでそれぞれ撮影した複数の視聴動画を視聴者の前記端末に表示させるための制御を行う視聴動画再生制御手段と、
前記視聴者の前記端末に表示された前記視聴動画の前記仮想カメラ設定データに関する評価指標である仮想カメラ評価指標を取得する評価取得手段と、
を備えたサーバシステム。
【請求項２】
前記評価取得手段は、前記仮想カメラ評価指標を含む前記視聴動画に関する視聴評価を取得し、
前記視聴評価を集計する評価集計手段と、
前記評価集計手段による集計結果を表示するための情報を前記端末に送信する集計結果送信手段と、
を更に備えた請求項１に記載のサーバシステム。
【請求項３】
前記動画基礎データ記憶手段は、前記時空世界データおよび前記編集者とは異なる制作者によって設定された前記仮想カメラ設定データである基準仮想カメラ設定データを当該制作者の前記端末から受信し、当該制作者に対応付けて記憶し、
前記視聴動画再生制御手段は、前記時空世界データに基づく前記時空世界を前記基準仮想カメラ設定データに基づく前記仮想カメラで撮影した基準視聴動画を前記視聴者の前記端末に表示させる制御を行い、
前記評価集計手段は、前記視聴者の前記端末に表示された前記基準視聴動画の前記基準仮想カメラ設定データに関する評価指標である仮想カメラ評価指標を含む前記基準視聴動画に関する視聴評価と、前記視聴動画に関する視聴評価とをそれぞれ集計する、
請求項２に記載のサーバシステム。
【請求項４】
前記評価集計手段は、前記集計結果として前記視聴評価に基づくランキングを生成し、
集計結果送信手段は、前記ランキングを表示するための情報を前記端末に送信する、
請求項２又は３に記載のサーバシステム。
【請求項５】
前記視聴評価には、視聴した全体評価の指標である総合評価指標が含まれ、
前記評価集計手段は、前記仮想カメラ評価指標に基づく集計と、前記総合評価指標に基づく集計とを行う、
請求項２〜４の何れか一項に記載のサーバシステム。
【請求項６】
前記評価集計手段は、前記視聴動画の再生回数や再生時間に関する再生実績に基づいて前記総合評価指標に基づく集計を行い、前記視聴者の評価回答入力に基づいて前記仮想カメラ評価指標に基づく集計を行う、
請求項５に記載のサーバシステム。
【請求項７】
前記集計結果送信手段は、互いに異なる前記集計結果を比較可能に表示するための情報を前記端末に送信する、
請求項２〜６の何れか一項に記載のサーバシステム。
【請求項８】
前記視聴動画に関する視聴評価の集計結果が、前記基準視聴動画に関する視聴評価の集計結果に比べて所定の高評価であることを示す第１の高評価条件を満たす場合に、当該視聴動画に係る仮想カメラ設定データを設定した前記編集者に第１の特典を付与する第１の特典付与手段、
を更に備えた請求項２〜７の何れか一項に記載のサーバシステム。
【請求項９】
サーバシステムに通信接続される編集者の端末を、
前記編集者とは異なる制作者の端末から前記サーバシステムが受信した仮想空間に配置されたキャラクタを含む当該仮想空間の時系列変化である時空世界を再現するための時空世界データを前記サーバから受信する受信手段、
前記時空世界を再現するための時空世界データに対応付けて、当該時空世界と同じ時間軸に沿って当該時空世界を撮影する仮想カメラの撮影位置および撮影姿勢を仮想カメラ設定データとして設定する仮想カメラ設定手段、
前記時空世界データと前記仮想カメラ設定データとに基づいて、視聴動画を表示する制御を行う視聴動画再生手段、
前記視聴動画を他の端末で表示させるための情報として前記仮想カメラ設定データを前記サーバシステムに送信する手段、
として機能させるためのプログラム。
【請求項１０】
サーバシステムに通信接続される視聴者の端末を、
制作者の端末から前記サーバシステムが受信した仮想空間に配置されたキャラクタを含む当該仮想空間の時系列変化である時空世界を再現するための時空世界データ、および、当該制作者とは異なる編集者によって設定され当該編集者の端末から前記サーバシステムが受信した当該時空世界データに基づく当該時空世界と同じ時間軸に沿って当該時空世界を撮影する仮想カメラの撮影位置および撮影姿勢を設定した仮想カメラ設定データを、前記サーバシステムから受信する受信手段、
当該時空世界データと当該仮想カメラ設定データとに基づいて、視聴動画を表示する制御を行う視聴動画再生手段、
前記視聴動画の前記仮想カメラ設定データに関する評価指標である仮想カメラ評価指標を前記サーバシステムに送信する視聴評価送信手段、
として機能させるためのプログラム。
【請求項１１】
編集者の端末と、視聴者の端末と、当該端末と通信接続されるサーバシステムを具備する動画配信システムであって、
仮想空間に配置されたキャラクタを含む当該仮想空間の時系列変化である時空世界を再現するための時空世界データを記憶する動画基礎データ記憶手段と、
前記時空世界データに基づく前記時空世界と同じ時間軸に沿って前記時空世界を撮影する仮想カメラの撮影位置および撮影姿勢を前記編集者が設定した仮想カメラ設定データを当該編集者の端末から受信して当該編集者に対応づけて記憶する仮想カメラ設定データ記憶手段と、
前記時空世界データに基づく前記時空世界を互いに異なる複数の前記仮想カメラ設定データに基づく前記仮想カメラでそれぞれ撮影した複数の視聴動画を前記視聴者の端末に表示させるための制御を行う視聴動画再生制御手段と、
前記視聴者の端末に表示された前記視聴動画の前記仮想カメラ設定データに関する評価指標である仮想カメラ評価指標を取得する評価取得手段と、
を備えた動画配信システム。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
第１面および前記第１面と反対側の第２面を含む第１基板と、
第３面および前記第３面と反対側の第４面を含む第２基板と、
前記第１基板と前記第２基板との間に配置され、振動素子、前記振動素子を囲む枠状をなす枠部、および前記振動素子と前記枠部とを連結する連結部、を備える中間基板と、
前記枠部と前記第１基板との間に位置し、前記枠部における前記第１基板側の面と前記第２面とを接合する導電性の第１接合部材と、
前記枠部と前記第２基板との間に位置し、前記枠部における前記第２基板側の面と前記第３面とを接合する導電性の第２接合部材と、
前記第１基板に配置されている内部電極と、
前記第１基板と前記中間基板との間に配置され、前記振動素子と前記内部電極とを電気的に接続する第１導通部材と、を有することを特徴とする振動デバイス。
【請求項２】
前記第１基板の前記第１接合部材との接続面および前記枠部の前記第１接合部材との接続面は、それぞれ、平坦面である請求項１に記載の振動デバイス。
【請求項３】
前記第２基板の前記第２接合部材との接続面および前記枠部の前記第２接合部材との接続面は、それぞれ、平坦面である請求項１または２に記載の振動デバイス。
【請求項４】
前記第１基板は、前記第１導通部材との接続面および前記第１接合部材との接続面が面一であり、
前記中間基板は、前記第１導通部材との接続面および前記第１接合部材との接続面が面一である請求項１ないし３のいずれか１項に記載の振動デバイス。
【請求項５】
前記第１基板は、前記内部電極を介して前記振動素子と電気的に接続されている発振回路が形成されている半導体基板であり、
前記第１基板の前記第１面側には、
前記発振回路と電気的に接続され、固定電位となる第１外部端子と、
前記発振回路と電気的に接続され、電源が入力される第２外部端子と、
前記発振回路と電気的に接続され、前記発振回路から発振信号が出力される第３外部端子と、
が配置され、
前記第１接合部材は、前記第１外部端子と電気的に接続されている請求項１ないし４のいずれか１項に記載の振動デバイス。
【請求項６】
前記第１基板の前記第２面は、能動面であり、
前記発振回路は、前記第１基板の前記第１面と前記第２面とを貫通する貫通電極を介して、前記第１外部端子、前記第２外部端子および前記第３外部端子と電気的に接続されている請求項５に記載の振動デバイス。
【請求項７】
前記第１基板の前記第１面は、能動面であり、
前記内部電極は、前記第１基板の前記第１面と前記第２面とを貫通する貫通電極であり、
前記発振回路は、前記貫通電極を介して前記振動素子と電気的に接続されている請求項５に記載の振動デバイス。
【請求項８】
前記第１接合部材および前記第２接合部材は、電気的に接続され、
前記第２基板は、前記第１接合部材および前記第２接合部材を介して前記第１基板と電気的に接続されている半導体基板である請求項５ないし７のいずれか１項に記載の振動デバイス。
【請求項９】
前記第２基板と前記中間基板との間に配置され、前記第１基板の平面視で、前記第１導通部材と重なっている第２導通部材を有する請求項１ないし８のいずれか１項に記載の振動デバイス。
【手続補正２】
【補正対象書類名】明細書
【補正対象項目名】発明の名称
【補正方法】変更
【補正の内容】
【発明の名称】振動デバイス
【手続補正３】
【補正対象書類名】明細書
【補正対象項目名】０００１
【補正方法】変更
【補正の内容】
【０００１】
本発明は、振動デバイスに関するものである。